(57)【要約】【課題】顧客がキープしたボトル等の物品を管理し、その所在を容易に表示できる物品特定表示方法および物品特定表示装置を提供する。【解決手段】個人データを予め記憶し、個人の認識データを入力し、入力した上記認識データと記憶されている上記個人データとが一致した場合、配置されている複数物品の一つを特定して表示する。個人データを予め記憶する手段と、個人の認識データを入力する手段と、入力した上記認識データと記憶されている上記個人データとを比較する手段と、入力した上記認識データと記憶されている上記個人データとを比較して、上記認識データと記憶されている上記個人データとが一致した場合、配置されている複数物品の一つを特定して表示する手段とからなる物品特定表示装置。【選択図】      図１
2004345815.tif 000002
【特許請求の範囲】
【請求項１】
個人データを予め記憶し、個人の認識データを入力し、入力した上記認識データと記憶されている上記個人データとが一致した場合、配置されている複数物品の一つを特定して表示することを特徴とする物品特定表示方法。
【請求項２】
個人データを予め記憶し、個人の認識データを入力し、入力した上記認識データと記憶されている上記個人データとが一致した場合、配置されている複数物品の一つを物品の上部から特定して表示することを特徴とする物品特定表示方法。
【請求項３】
個人データを予め記憶し、個人の認識データを入力し、入力した上記認識データと記憶されている上記個人データとが一致した場合、配置されている複数物品の一つを物品の下部から特定して表示することを特徴とする物品特定表示方法。
【請求項４】
請求項１記載の物品特定表示方法において、
上記複数物品のそれぞれの所在を明示し、上記個人データおよび上記認識データを送信し、入力した上記認識データと記憶されている上記個人データとが一致した場合、配置されている上記複数物品の一つを特定して表示することを特徴とする物品特定表示方法。
【請求項５】
請求項４記載の物品特定表示方法において、
上記複数物品のそれぞれの所在は、上記物品とは別に設けた発光手段により上記複数物品の一つを特定して表示するかあるいは上記物品とは別に設けた照明手段により上記複数物品の一つを特定して表示することを特徴とする物品特定表示方法。
【請求項６】
請求項２記載の物品特定表示方法において、
上記個人データと上記認識データを送信し、複数の分岐部を有する共通の通信線を配線し、上記複数分岐部または上記複数分岐部の近傍に、発光部材を有するリング、または発光部材を有するキャップ、あるいは発光部材を有するコードの中から選ばれた一つを接続し、発光部材を有する複数リング、または発光部材を有する複数キャップ、あるいは発光部材を有する複数コードを上記複数物品のそれぞれに配設し、入力した上記認識データと記憶されている上記個人データとが一致した場合、上記複数リングの一つ、または上記複数キャップの一つ、あるいは上記複数コードの一つを選択、動作させて、配置されている上記複数物品の一つを物品の上部から特定して表示することを特徴とする物品特定表示方法。
【請求項７】
請求項２記載の物品特定表示方法において、
上記個人データと上記認識データを送信し、複数の分岐部を設けた共通の通信線を配線し、上記複数分岐部にそれぞれ照明灯を接続し、上記複数照明灯を上記複数物品のそれぞれに配設し、入力した上記認識データと記憶されている上記個人データとが一致した場合、上記複数照明灯の一つを選択、作動させて、配置されている上記複数物品の一つを物品の上部から特定して表示することを特徴とする物品特定表示方法。
【請求項８】
請求項３記載の物品特定表示方法において、
上記個人データと上記認識データを送信し、複数の分岐部を設けた共通の通信線を配線し、上記複数分岐部に、発光体をそれぞれ接続し、上記複数発光体を上記複数物品のそれぞれに配設し、入力した上記認識データと記憶されている上記個人データとが一致した場合、上記複数発光体の一つを選択、動作させて、配置されている上記複数物品の一つを物品の下部から特定して表示することを特徴とする物品特定表示方法。
【請求項９】
請求項３記載の物品特定表示方法において、
上記個人データと上記認識データを送信し、複数の分岐部を設けた共通の通信線を配線し、上記複数分岐部に照明灯をそれぞれ接続し、上記複数照明灯を上記複数物品のそれぞれに配設し、入力した上記認識データと記憶されている上記個人データとが一致した場合、上記複数照明灯の一つを選択、作動させて、配置されている上記複数物品の一つを物品の下部から特定して表示することを特徴とする物品特定表示方法。
【請求項１０】
個人データを予め記憶する手段と、個人の認識データを入力する手段と、入力した上記認識データと記憶されている上記個人データとを比較する手段と、入力した上記認識データと記憶されている上記個人データとを比較して、上記認識データと記憶されている上記個人データとが一致した場合、配置されている複数物品の一つを特定して表示する手段とからなる物品特定表示装置。
【請求項１１】
個人データを予め記憶する手段と、個人の認識データを入力する手段と、入力した上記認識データと記憶されている上記個人データとを比較する手段と、入力した上記認識データと記憶されている上記個人データとを比較して、上記認識データと記憶されている上記個人データとが一致した場合、配置されている複数物品の一つを物品の上部から特定して表示する手段とからなることを特徴とする物品特定表示装置。
【請求項１２】
個人データを予め記憶する手段と、個人の認識データを入力する手段と、入力した上記認識データと記憶されている上記個人データとを比較する手段と、入力した上記認識データと記憶されている上記個人データとを比較して、上記認識データと記憶されている上記個人データとが一致した場合、配置されている複数物品の一つを物品の下部から特定して表示する手段とからなることを特徴とする物品特定表示装置。
【請求項１３】
請求項１１記載の物品特定表示装置おいて、
上記複数物品は上記物品特定表示手段にそれぞれ配置され、さらに上記物品特定表示手段は、発光部材を有する複数のリング、発光部材を有する複数のキャップ、発光部材を有する複数のコードおよび複数の照明灯の中から選ばれた一つであることを特徴とする物品特定表示装置。
【請求項１４】
請求項１２物品特定表示装置において、
上記複数物品は上記物品特定表示手段にそれぞれ配置され、さらに上記物品特定表示手段は、複数の照明灯または複数の発光体であることを特徴とする物品特定表示装置。
【発明の詳細な説明】
【０００１】
【発明の属する技術分野】
本発明は，物品特定表示方法および物品特定表示装置に関し、特に個人管理データ認識による物品特定表示方法および物品特定表示装置に関する。くわしくは、スナック、居酒屋等にキープ（保存）してあるボトル等の自動識別検索、特定表示方法および特定表示装置またはボトル等の自動識別検索、特定表示方法および特定表示装置に関する。
【０００２】
【従来の技術】
従来のスナック、居酒屋等においては、顧客の物品（ボトル等）は無秩序（無造作）にまたはある所定の順序、例えばあいうえおの名前順に、あるいは名前のついた札等を付けて、店の棚、台、収納容器等に置かれていた。このため、顧客が入店してきた場合、顧客がキープしたボトル等の所在がわからないため、ボトル等をすぐに取り出せなく、顧客に迷惑をかける場合があった。
また、顧客のキープしたボトル等の期限切れについてあまり考慮されてなく、この確認に時間を要していた。また顧客別のボトル管理（ボトル等の内容量、残量管理、期限切れの管理等）、顧客別の来歴リスト（来店日、来店時間等）が不十分で、さらに顧客別のボトルの管理も不十分で、ボトルの取り出しに時間を要した。
【０００３】
【発明が解決しようとする課題】
本発明の目的は、顧客がキープした物品の所在を容易に表示できる物品特定表示方法および物品特定表示装置に関する。
本発明の他の目的は、顧客がキープした物品を管理し、物品の所在を容易に表示できる物品特定表示方法および物品特定表示装置に関する。
【０００４】
【課題を解決するための手段】
本発明は、個人データを予め記憶し、個人の認識データを入力し、入力した上記認識データと記憶されている上記個人データとが一致した場合、配置されている複数物品の一つを特定して表示することを特徴とする物品特定表示方法にある。
また本発明は、個人データを予め記憶する手段と、個人の認識データを入力する手段と、入力した上記認識データと記憶されている上記個人データとを比較する手段と、入力した上記認識データと記憶されている上記個人データとを比較して、上記認識データと記憶されている上記個人データとが一致した場合、配置されている複数物品の一つを特定して表示する手段とからなる物品特定表示装置にある。
【０００５】
本発明において、「個人データ」とは、顧客の個人データ、ＩＤ、顧客の物品の属性に関するデータをいう。顧客の個人データ、物品のＩＤとしては、例えば顧客の名前、通称名、愛称名；顧客の生年月日、年齢；顧客の来店日、来店時間；ボトルの種類、名前；ボトルを入れた日；ボトルの内容量（残量）等がある。
【０００６】
本発明において、「個人の認識データ」とは、顧客が本人であることを確認、認識、識別できるデータをいう。例えば、個人が所有するＩＤカード等をいう。本発明において、「物品識別手段」とは、物品の所在を確認、表示する機能を有するものをいう。物品識別手段のハードウエアの例として、ＬＥＤ（発光ダイオード）リング、ＬＥＤキャツプ、ＬＥＤコード、ＬＥＤケーブル、照明灯、点滅灯、ＬＥＤ照明灯等があり、これらの中必要なものを物品の上部または下部に配置するのが好ましい。
【０００７】
本発明において、「情報管理手段」とは、顧客に関する情報や物品に関する情報を記録し管理する機能を有するものをいう。
情報管理手段は、ハードウエアおよびソフトウエアで構成される。
「情報管理手段」は、パーソナルコンピユータに顧客および物品に関する情報管理ソフトウエアを実装し、例えばタッチパネル方式が好ましい。
【０００８】
本発明において、「情報入力手段」とは、顧客のＩＤや物品のＩＤを入力する機能を有するものであり、ハードウエアを備えている。情報入力手段のハードウエアの一例として、バーコードリーダがある。顧客ごとにバーコードを貼り付けたカードを配布して、このカードをバーコードリーダで読み取る。発行するカードには、発行店の宣伝を入れておくのが好ましい。
ハードウエアの他の例として、テンキーがある。コードをテンキーで入力する。コードは、顧客が暗号等任意に設定可能にする。ハードウエアのさらに他の例として、ＩＣカードがある。ＩＣカードに物品のキープ日時等の情報を保存する。ハードウエアのさらに他の例としてリライトカードがある。リライトカード表面に、顧客のＩＤ，物品の種類、ＩＤ，キープ日時等を印刷するのが好ましい。ハードウエアのさらに他の例として磁気カードがある。磁気カードに、顧客のＩＤ，物品の種類、ＩＤ，キープ日時等を印刷するのが好ましい。ハードウエアのさらに他の例として携帯電話が考えられる。
【０００９】
本発明において、「通信手段」とは、顧客や物品の情報に基づいて外部との通信を行う機能を有するものをいう。通信手段は携帯電話に接続可能に構成される。顧客が物品をキープした日時を物品ごとに記録、管理する。従って、顧客のメールアドレスが登録されていた場合、物品をキープした日時を元に物品の有効期限（有効日）を計算できるので、物品の有効期限の数日前に顧客にメールを自動送信することにより、顧客に対して物品の有効期限切れを通告できる。
【００１０】
本発明において、「物品内容量管理手段」とは、物品の内容量を管理（物品の残量を管理）する機能を有するものをいう。物品内容量管理手段の一例として、ロードセルや秤を用いて物品の内容量を管理（物品の残量を管理）する。
【００１１】
本発明において、「補助機能手段」とは、デコレーション機能や携帯電話に対する文字情報提供サ−ビス機能をいう。デコレーション機能の一例としては、物品識別部をランダムに発光させることによってインテリアとしての機能をもたせる。携帯電話に対する文字情報提供サ−ビス機能の一例としては、携帯電話に対する文字情報提供機能を用いて物品の残量や有効期限がチェツクできるようにする。
【００１２】
【発明の実施の形態】
以下、本発明の物品特定表示方法および物品特定表示装置の一実施例を図に基づいて説明する。
【００１３】
図１は、本発明の物品特定表示方法および物品特定表示装置の一実施例を示すブロック図である。図１において、予め入力してあるまたは初めて入力した顧客の「顧客の個人データＡ」を「物品識別手段Ｂ」で認識、識別する。入力した顧客の個人の識別データと記憶されている上記「顧客の個人データＡ」とを比較し、入力した顧客の個人の識別データと記憶されている上記「顧客の個人データＡ」と一致した場合、個人のキープ（保存）した物品を特定して表示する。
「物品識別手段Ｂ」に、「顧客管理及び物品自動位置表示制御手段Ｃ」が接続されている。この「顧客管理及び物品自動位置表示制御手段Ｃ」には、上述した各種の顧客の個人データが入力、記録されているとともに物品の位置を自動的に表示制御する機能を有している。
【００１４】
また、「顧客管理及び物品自動位置表示制御手段Ｃ」には、「物品位置表示手段Ｄ」が接続されている。「物品位置表示手段Ｄ」では、「顧客管理及び自動位置表示制御手段Ｃ」による物品の位置を自動的に表示する機能を用いて検索した顧客の所定の物品が特定されて表示される。
【００１５】
図２は、「物品位置表示手段Ｄ」または「ボトル等の位置検索対象物Ｄ」の一例を示すもので、棚２１上に複数のボトル２２Ａ，２２Ｂ，２２Ｃ，２２Ｄが載置されている。この実施例では、ボトル２２Ａ，２２Ｂ，２２Ｃ，２２Ｄの上部から、その各ボトル２２Ａ，２２Ｂ，２２Ｃ，２２Ｄの各位置がそれぞれ特定表示されるボトル位置表示装置の例を示す。
【００１６】
図２において、レール状に張り巡らされたケーブル配線２３の下方に複数のボトル２２Ａ，２２Ｂ，２２Ｃ，２２Ｄが棚２１上に配置されている。ケーブル配線２３から複数のケーブル２４Ａ，２４Ｂ，２４Ｃ，２４Ｄが分岐して設けられ、これらはケーブル配線２３から垂下されている。
この分岐した各ケーブル２４Ａ，２４Ｂ，２４Ｃ，２４Ｄの先端には、それぞれＬＥＤリング２５Ａ，２５Ｂ，２５Ｃ，２５Ｄが設けられている。各ＬＥＤリング２５Ａ，２５Ｂ，２５Ｃ，２５Ｄはそれぞれ、各ボトル２２Ａ，２２Ｂ，２２Ｃ，２２Ｄの首部に挿入、配置されている。上述したＬＥＤリング２５Ａ，２５Ｂ，２５Ｃ，２５Ｄは、ＬＥＤ（発光ダイオード）を組み込んだシリコンチューブで構成されている。例えば、ＬＥＤリング２５Ａはケーブル２５の終端部に２個のＬＥＤ（発光ダイオード）が取り付けられ、これらのＬＥＤはＬＥＤリング２５Ａの内部に組み込まれている。
【００１７】
顧客の「顧客の個人データＡ」に顧客のＩＤ等を入力して、「物品識別手段Ｂ」で認識、識別する。そして、「物品識別手段Ｂ」に接続された「顧客管理及び物品位置表示制御手段Ｃ」により、この実施例の場合、ＬＥＤリング２５Ｂに組み込まれたＬＥＤが青色に点灯して、検索した顧客の所定のボトル２２Ｂが自動的に特定して表示される。そして、顧客に特定表示して選択されたボトル２２Ｂを提供する。
【００１８】
なお、分岐した各ケーブル２４Ａ，２４Ｂ，２４Ｃ，２４Ｄの先端に設けられたＬＥＤリング２５Ａ，２５Ｂ，２５Ｃ，２５Ｄは、各ボトル２２Ａ，２２Ｂ，２２Ｃ，２２Ｄの首部に挿入することは必ずしも必要はなく、各ボトル２２Ａ，２２Ｂ，２２Ｃ，２２Ｄの首部の上端にあるいは各ボトル２２Ａ，２２Ｂ，２２Ｃ，２２Ｄから離してその上方に配置してもよい。
【００１９】
図３は、「物品位置表示手段Ｄ」または「ボトル等の物品位置検索対象物Ｄ」の一例を示すもので、棚３１上に複数のボトル３２Ａ，３２Ｂ，３２Ｃ，３２Ｄが載置されている。この実施例では、ボトル３２Ａ，３２Ｂ，３２Ｃ，３２Ｄの上部から、各ボトル３２Ａ，３２Ｂ，３２Ｃ，３２Ｄの各位置が特定表示されるボトル位置表示装置の例を示す。
【００２０】
図３において、レール状に張り巡らされたケーブル配線３３が設けられている。このケーブル配線３３に複数の照明灯３４Ａ，３４Ｂ，３４Ｃ，３４Ｄが取り付けられている。
【００２１】
顧客の「顧客の個人データＡ」に顧客のＩＤ等の一部を入力して、「物品識別手段Ｂ」で認識、識別する。そして、「物品識別手段Ｂ」に接続された「顧客管理及び物品位置表示制御手段Ｃ」により、この実施例の場合、照明灯３４Ｂが点灯して、上方からボトル３２Ｂの外周を照らして、検索した顧客の所定のボトル３２Ｂが特定して表示される。そして、顧客に特定表示して選択されたボトル３２Ｂを提供する。なお、照明灯（ＬＥＤ付き）以外に点滅灯、スポット灯を用いてもよい。
【００２２】
図４は、「物品位置表示手段Ｄ」または「ボトル等の位置検索対象物Ｄ」の一例を示すもので、棚４１上に複数のボトル４２Ａ，４２Ｂ，４２Ｃ，４２Ｄが載置されている。この実施例では、ボトル４２Ａ，４２Ｂ，４２Ｃ，４２Ｄの上部から、ボトル４２Ａ，４２Ｂ，４２Ｃ，４２Ｄの各位置が特定表示されるボトル位置表示装置の例を示す。
【００２３】
図４において、レール状に張り巡らされたケーブル配線４３の下方に複数のボトル４２Ａ，４２Ｂ，４２Ｃ，４２Ｄが載置されている。ケーブル配線４３から複数のケーブル４４Ａ，４４Ｂ，４４Ｃ，４４Ｄが分岐して設けられ、これらはケーブル配線４３から垂下されている。この分岐した各ケーブル４４Ａ，４４Ｂ，４４Ｃ，４４Ｄの先端には、ＬＥＤキャップ４５Ａ，４５Ｂ，４５Ｃ，４５Ｄが設けられている。各ＬＥＤキャップ４５Ａ，４５Ｂ，４５Ｃ，４５Ｄは、各ボトル４２Ａ，４２Ｂ，４２Ｃ，４２Ｄの首部に挿入、配置されている。
上述したＬＥＤキャップ４５Ａ，４５Ｂ，４５Ｃ，４５Ｄは、ケーブル４４Ａ，４４Ｂ，４４Ｃ，４４Ｄの先端部にＬＥＤをそれぞれ取り付け、このＬＥＤをキャップ４５Ａ，４５Ｂ，４５Ｃ，４５Ｄの内部に組み込んでいる。
【００２４】
顧客の「顧客の個人データＡ」に顧客のＩＤ等の一部を入力して、「物品識別手段Ｂ」で認識、識別する。そして、「物品識別手段Ｂ」に接続された「顧客管理及び物品位置表示制御手段Ｃ」により、この実施例の場合、ＬＥＤキャップ４５Ｂが点灯して、検索した顧客の所定のボトル４２Ｂが特定表示される。そして、顧客に特定表示して選択されたボトル４２Ｂを提供する。
【００２５】
図５は、「物品位置表示手段Ｄ」または「ボトル等の物品位置検索対象物Ｄ」の一例を示すもので、棚５１上に複数のボトル５２Ａ，５２Ｂ，５２Ｃ，５２Ｄが載置されている。この実施例では、ボトル５２Ａ，５２Ｂ，５２Ｃ，５２Ｄの上部から、各ボトル５２Ａ，５２Ｂ，５２Ｃ，５２Ｄの各位置が特定表示されるボトル位置表示装置の例を示す。
【００２６】
図５において、レール状に張り巡らされたケーブル配線５３の下方に複数のボトル５２Ａ，５２Ｂ，５２Ｃ，５２Ｄが設けられている。ケーブル配線５３から複数のケーブル５４Ａ，５４Ｂ，５４Ｃ，５４Ｄが分岐して設けられ、これらはケーブル配線５３から垂下されている。
この分岐した各ケーブル５４Ａ，５４Ｂ，５４Ｃ，５４Ｄの先端部には、ＬＥＤチップ５５Ａ，５５Ｂ，５５Ｃ，５５Ｄが取り付けられている。ＬＥＤチップ５５Ａ，５５Ｂ，５５Ｃ，５５Ｄは、各ボトル５２Ａ，５２Ｂ，５２Ｃ，５２Ｄの上部に配置されている。
【００２７】
顧客の「顧客の個人データＡ」に顧客のＩＤ等の一部を入力して、「物品識別手段Ｂ」で認識、識別する。そして、「物品識別手段Ｂ」に接続された「顧客管理及び物品位置表示制御手段Ｃ」により、この実施例の場合、ＬＥＤチップ５５Ｄが点灯して、ボトル５２Ｄを照らして、検索した顧客の所定のボトル５２Ｄが特定表示される。そして、顧客に特定表示して選択されたボトル５２Ｄを提供する。
【００２８】
図６は、「物品位置表示手段Ｄ」または「ボトル等の物品位置検索対象物Ｄ」に一例を示すもので、棚６１上に複数のボトル６２Ａ，６２Ｂ，６２Ｃ，６２Ｄが載置されている。棚６１は、木製あるいは透明、半透明な合成樹脂製またはガラス製で構成されている。この実施例では、ボトル６２Ａ，６２Ｂ，６２Ｃ，６２Ｄの下部から、各ボトル６２Ａ，６２Ｂ，６２Ｃ，６２Ｄの各位置が特定表示されるボトル位置表示装置の例を示す。
【００２９】
図６において、ボトル６２Ａ，６２Ｂ，６２Ｃ，６２Ｄを載置した棚６１に、点灯部６３Ａ，６３Ｂ，６３Ｃ，６３Ｄが設けられている。この点灯部６３Ａ，６３Ｂ，６３Ｃ，６３Ｄは、例えば棚６１に設けた直線状の溝、開口部に、点灯部６３Ａ，６３Ｂ，６３Ｃ，６３Ｄが適宜所定の間隔で埋めるように挿入して組み立てられている。複数の点灯部６３Ａ，６３Ｂ，６３Ｃ，６３Ｄの上部に複数のボトル６２Ａ，６２Ｂ，６２Ｃ，６２Ｄが配置されている。
【００３０】
顧客の「顧客の個人データＡ」に顧客のＩＤ等の一部を入力して、「物品識別手段Ｂ」で認識、識別する。そして、「物品識別手段Ｂ」に接続された「顧客管理及び物品位置表示制御手段Ｃ」により、この実施例の場合、点灯部６２Ｂが点灯してボトル６２Ｂの底部と外周を照らして、検索した顧客の所定のボトル６３Ｂが特定表示される。そして、顧客に特定表示して選択されたボトル６３Ｂを提供する。
【００３１】
図７は、「物品位置表示手段Ｄ」または「ボトル等の物品位置検索対象物Ｄ」に一例を示すもので、棚７１上に複数の顧客別のボトル７２Ａ，７２Ｂ，７２Ｃ，７２Ｄが載置されている。この実施例では、ボトル７２Ａ，７２Ｂ，７２Ｃ，７２Ｄの下部から、各ボトル７２Ａ，７２Ｂ，７２Ｃ，７２Ｄの各位置が特定表示されるボトル位置表示装置の例を示す。
【００３２】
図７において、ボトル７２Ａ，７２Ｂ，７２Ｃ，７２Ｄを載置した棚７１に、例えばＬＥＤ点灯部７３Ａ，７３Ｂ，７３Ｃ，７３Ｄが設けられている。このＬＥＤ点灯部７３Ａ，７３Ｂ，７３Ｃ，７３Ｄは、棚７１に断面ほぼ楕円形の複数のＬＥＤを適宜所定の間隔で挿入して組み立てられている。このＬＥＤ点灯部７３Ａ、７３Ｂ，７３Ｃ，７３Ｄの上部に複数のボトル７２Ａ，７２Ｂ，７２Ｃ，７２Ｄが配置されている。
【００３３】
顧客の「顧客の個人データＡ」に顧客のＩＤ等の一部を入力して、「物品識別手段Ｂ」で認識、識別する。そして、「物品識別手段Ｂ」に接続された「顧客管理及び物品位置表示制御手段Ｃ」により、この実施例の場合、ＬＥＤ点灯部７３Ｃが点灯して、検索した顧客の所定のボトル７３Ｃが特定表示される。そして、顧客に特定表示して選択されたボトル７３Ｃを提供する。
【００３４】
図８は、「物品位置表示手段Ｄ」または「ボトル等の物品位置検索対象物Ｄ」に一例を示すもので、棚８１上に複数の顧客別のボトル８２Ａ，８２Ｂ，８２Ｃ，８２Ｄが載置されている。この実施例では、ボトル８２Ａ，８２Ｂ，８２Ｃ，８２Ｄの下部から、各ボトル８２Ａ，８２Ｂ，８２Ｃ，８２Ｄの各位置が特定表示されるボトル位置表示装置の例を示す。
【００３５】
図８において、ボトル８２Ａ，８２Ｂ，８２Ｃ，８２Ｄを載置した棚８１に、例えばＬＥＤ点灯部８３Ａ，８３Ｂ，８３Ｃ，８３Ｄが設けられている。この点灯部８３Ａ，８３Ｂ，８３Ｃ，８３Ｄは、棚８１に断面ほぼ四角形の複数のＬＥＤを適宜所定の間隔で挿入して組み立てられている。複数のＬＥＤ点灯部８３Ａ，８３Ｂ，８３Ｃ，８３Ｄの上部に複数のボトル８２Ａ，８２Ｂ，８２Ｃ，８２Ｄが配置されている。
【００３６】
顧客の「顧客の個人データＡ」に顧客のＩＤ等の一部を入力して、「物品識別手段Ｂ」で認識、識別する。そして、「物品識別手段Ｂ」に接続された「顧客管理及び物品位置表示制御手段Ｃ」により、この実施例の場合、点灯部８２Ｄが点灯して、検索した顧客の所定のボトル８２Ｄが特定表示される。そして、顧客に特定表示して選択されたボトル８２Ｄを提供する。
【００３７】
図９は、「物品位置表示手段Ｄ」または「ボトル等の物品位置検索対象物Ｄ」に一例を示すもので、棚９１上に複数の顧客別のボトル９２Ａ，９２Ｂ，９２Ｃ，９２Ｄが載置されている。この実施例では、ボトル９２Ａ，９２Ｂ，９２Ｃ，９２Ｄの下部から、各ボトル９２Ａ，９２Ｂ，９２Ｃ，９２Ｄの各位置が特定表示されるボトル位置表示装置の例を示す。
【００３８】
図９において、ボトル９２Ａ，９２Ｂ，９２Ｃ，９２Ｄを載置したテーブル棚９１の上に、例えばＬＥＤを組み込んだボトル載置台９３Ａ，９３Ｂ，９３Ｃ，９３Ｄが設けられている。ボトル載置台９３Ａ，９３Ｂ，９３Ｃ，９３Ｄの上部に複数のボトル９２Ａ，９２Ｂ，９２Ｃ，９２Ｄが載置されている。
【００３９】
顧客の「顧客の個人データＡ」に顧客のＩＤ等の一部を入力して、「物品識別手段Ｂ」で認識、識別する。そして、「物品識別手段Ｂ」に接続された「顧客管理及び物品位置表示制御手段Ｃ」により、この実施例の場合、ボトル載置台９３ＢのＬＥＤが点灯して、検索した顧客の所定のボトル９２Ｂが特定表示される。そして、顧客に特定表示して選択されたボトル９２Ｂを提供する。
【００４０】
なお、上記各実施例に、さらに通信手段を設け、この通信手段は携帯電話に接続可能に構成される。顧客がキープした日時をボトル等ごとに記録、管理する。顧客のメールアドレスが登録されていた場合、ボトル等をキープした日時を元に物品の有効期限（有効日）を計算できるので、ボトル等の有効期限の数日前に顧客にメールを自動送信することにより、顧客に対してボトル等の有効期限切れを通告できる。
【００４１】
なお、上記各実施例に、ボトル等の内容量管理手段としてロードセルや秤を用いて、ボトル等の内容量を管理（ボトル等の残量を管理）できる。
【００４２】
なお、上記各実施例に、デコレーション機能や携帯電話に対する文字情報提供サービス機能を有する補助機能手段を設け、ボトル識別部をランダムに発光させることによってインテリアとしての機能をもたせる。また、携帯電話に対する文字情報提供サービス機能の一例としては、携帯電話に対する文字情報提供サービを用いてボトル等の残量、有効期限がチェツクできるようにする。
【００４３】
以上、本発明に一実施例によれば、顧客がキープしたボトルの所在が表示されるので、顧客にすぐにキープしたボトルを提供できる。また顧客が複数のボトルをキープした場合、顧客の要望に応じて、キープしたボトルのうち選択された適切なボトルを顧客に提供でき、顧客別の複数キープボトルを一括して管理できる。
【００４４】
さらに、本発明に一実施例によれば、顧客がキープした日時をボトルごとに記録、管理できるので、顧客のボトルごとにキープ日時の記録、管理ができる。
【００４５】
さらに、本発明に一実施例によれば、顧客がキープした日時をボトルごとに記録、管理するので、ボトルをキープした日時を元にボトルの有効期限（有効日）を計算できるので、顧客にボトルの有効期限切れを警告、表示できる。
【００４６】
さらに、本発明に一実施例によれば、顧客がキープした日時をボトルごとに記録、管理するので、顧客のメールアドレスが登録されていた場合、ボトルをキープした日時を元にボトルの有効期限（有効日）を計算できるので、ボトルの有効期限の数日前に顧客にメールを自動送信することにより、顧客に対するボトルの有効期限切れを通告できる。
【００４７】
さらに、本発明に一実施例によれば、顧客がキープしたボトルごとにボトルの内容量を記録、管理するので、ボトルごとにその内容量を管理できる。
【００４８】
なお、上記一実施例では、通信手段として有線通信の場合について説明したが、無線通信でもよいのはもちろんである。また、顧客はボトルをキープした本人のほか、本人がＩＤカード等を他人に預けて他人が使用してもよい。
【００４９】
【発明の効果】
本発明によれば、顧客がキープした物品の所在を容易に表示できる物品特定表示方法および物品特定表示装置が得られた。
また本発明によれば、顧客がキープした物品を管理し、物品の所在を容易に表示できる物品特定表示方法および物品特定表示装置が得られた。
【図面の簡単な説明】
【図１】本発明の一実施例を示す物品管理識別システムのブロック図である。
【図２】本発明の一実施例を示す物品管理識別システムに用いられるボトル等位置表示手段の一例を示す図である。
【図３】本発明の一実施例を示す物品管理識別システムに用いられるボトル等位置表示手段の他の例を示す図である。
【図４】本発明の一実施例を示す物品管理識別システムに用いられるボトル等位置表示手段の他の例を示す図である。
【図５】本発明の一実施例を示す物品管理識別システムに用いられるボトル等位置表示手段の他の例を示す図である。
【図６】本発明の一実施例を示す物品管理識別システムに用いられるボトル等位置表示手段の他の例を示す図である。
【図７】本発明の一実施例を示す物品管理識別システムに用いられるボトル等位置表示手段の他の例を示す図である。
【図８】本発明の一実施例を示す物品管理識別システムに用いられるボトル等位置表示手段の他の例を示す図である。
【図９】本発明の一実施例を示す物品管理識別システムに用いられるボトル等位置表示手段の他の例を示す図である。
【符号の説明】
２２Ａ，２２Ｂ，２２Ｃ，２２Ｄ・・・ボトル
２３・・・ケーブル配線
２４Ａ，２４Ｂ，２４Ｃ，２４Ｄ・・・ケーブル
２５Ａ，２５Ｂ，２５Ｃ，２５Ｄ・・・リング
３２Ａ，３２Ｂ，３２Ｃ，３２Ｄ・・・ボトル
３３・・・ケーブル配線
３４Ａ，３４Ｂ，３４Ｃ，３４Ｄ・・・照明灯
４２Ａ，４２Ｂ，４２Ｃ，４２Ｄ・・・ボトル
４３・・・ケーブル配線
４４Ａ，４４Ｂ，４４Ｃ，４４Ｄ・・・ケーブル
４５Ａ，４５Ｂ，４５Ｃ，４５Ｄ・・・キャップ
５２Ａ，５２Ｂ，５２Ｃ，５２Ｄ・・・ボトル
５３・・・ケーブル配線
５４Ａ，５４Ｂ，５４Ｃ，５４Ｄ・・・ケーブル
５５Ａ，５５Ｂ，５５Ｃ，５５Ｄ・・・チップ
６１Ａ，６２Ｂ，６２Ｃ，６２Ｄ・・・ボトル
６３Ａ，６３Ｂ，６３Ｃ，６３Ｄ・・・照明灯
７１Ａ，７２Ｂ，７２Ｃ，７２Ｄ・・・ボトル
７３Ａ，７３Ｂ，７３Ｃ，７３Ｄ・・・ＬＥＤ点灯部
８１Ａ，８２Ｂ，８２Ｃ，８２Ｄ・・・ボトル
８３Ａ，８３Ｂ，８３Ｃ，８３Ｄ・・・ＬＥＤ点灯部
９１Ａ，９２Ｂ，９２Ｃ，９２Ｄ・・・ボトル
９３Ａ，９３Ｂ，９３Ｃ，９３Ｄ・・・ボトル載置台
【図１】
2004345815.tif 000003
【図２】
2004345815.tif 000004
【図３】
2004345815.tif 000005
【図４】
2004345815.tif 000006
【図５】
2004345815.tif 000007
【図６】
2004345815.tif 000008
【図７】
2004345815.tif 000009
【図８】
2004345815.tif 000010
【図９】
2004345815.tif 000011